(57)【要約】【課題】本発明の目的は、簡単な構造でミラーカバーをまんべんなく全面発光させることのできる自動車用ドアミラーを提供することである。【解決手段】本発明の自動車用ドアミラーは、ミラーカバー２が湾曲形状の透明カバー本体２Aと透明カバー本体２Aの開口端部１２に装着された発光部品配設体１４とを有する。透明カバー本体２Aにはその内面に導光塗料膜１７が形成されている。発光部品配設体１４に通電すると、ミラーカバー２の全面が発光される。【選択図】図１１
2008062807.tif 000002
【特許請求の範囲】
【請求項１】
ミラー本体を背面から包囲するミラーカバーを発光させる自動車用ドアミラーにおいて、
前記ミラーカバーは湾曲形状の透明カバー本体と該透明カバー本体の開口端部に装着された発光部品配設体とを有し、前記透明カバー本体にはその内面に導光塗料膜が形成されていることを特徴とする自動車用ドアミラー。
【請求項２】
前記透明カバー本体には前記導光塗料膜の表面に反射膜が形成されていることを特徴とする請求項１に記載の自動車用ドアミラー。
【請求項３】
前記反射膜の表面に保護膜が形成されていることを特徴とする請求項２に記載の自動車用ミラー。
【請求項４】
請求項１に記載のミラーカバーの製造方法であって、
湾曲形状の透明カバー本体を製造する工程と、
該透明カバー本体の内面に導光塗料膜を塗布する工程と、
該導光塗料膜の表面に銀塗装又はアルミニウム蒸着により反射膜を形成する工程と、
前記ミラーカバーの開口端部に発光部品配設体を装着する工程と、
を含むことを特徴とするミラーカバーの製造方法。
【発明の詳細な説明】
【技術分野】
【０００１】
本発明は、ミラーを背面から包囲するミラーカバーを発光させることのできる自動車用ドアミラー及びこれに用いるミラーカバーの製造方法に関する。
【背景技術】
【０００２】
従来から、ミラー本体を背面から包囲するミラーカバー（ミラーハウジング）を発光させる自動車用ドアミラーが知られている。この自動車用ドアミラーは、ミラーカバーが内層体と中間層体と外層体とのカバー構成体からなる三層構造とされ、内層体の外側面には反射光部が形成され、中間層体は半透明材料によって構成され、外層体は無色の透明材質から構成され、ミラーカバーの端面は導光連結台によって連結され、導光連結台の内部には発光部品が組み込まれている（例えば、特許文献等１参照。）。
【特許文献１】実用新案登録第３０９４９２８号公報
【発明の開示】
【発明が解決しようとする課題】
【０００３】
しかしながら、この従来の自動車用ドアミラーでは、内層体と中間層体と外層体とからなるカバー構成体を重ね合わせてミラーカバーを形成する構造であるため、ミラーカバーを形成するために少なくとも３個の金型が必要であり、各ミラーカバーの成形時のばらつきにより内層体と中間層体と外層体とがぴったりと重なり合わないようなことがあると、ミラーカバーの全体をまんべんなく発光させることができず、全面発光をさせ難いという不都合を生じるおそれがある。
【０００４】
本発明は、上記の事情に鑑みて為されたもので、その目的とするところは、簡単な構造でミラーカバーをまんべんなく全面発光させることのできる自動車用ドアミラー及びこれに用いるミラーカバーを提供することにある。
【課題を解決するための手段】
【０００５】
請求項１に記載の自動車用ドアミラーは、ミラー本体を背面から包囲するミラーカバーを発光させるものにおいて、
前記ミラーカバーは湾曲形状の透明カバー本体と該透明カバー本体の開口端部に装着された発光部品配設体とを有し、前記透明カバー本体にはその内面に導光塗料膜が形成されていることを特徴とする。
【０００６】
請求項２に記載の自動車用ドアミラーは、前記透明カバー本体には前記導光塗料膜の表面に反射膜が形成されていることを特徴とする。
【０００７】
請求項３に記載の自動車用ドアミラーは、前記反射膜の表面に保護膜が形成されていることを特徴とする。
【０００８】
請求項４に記載のミラーカバー製造方法は、透明カバー本体を製造する工程と、該透明カバー本体の内面に導光塗料膜を塗布する工程と、該導光塗料膜の表面に銀塗装又はアルミニウム蒸着により反射膜を形成する工程と、前記ミラーカバーの開口端部に発光部品配設体を装着する工程とを含むことを特徴とする。
【発明の効果】
【０００９】
本発明に係わる自動車用ドアミラーによれば、簡単な構造でミラーカバーをまんべんなく全面発光させることができる。
【００１０】
本発明に係わるミラーカバーの製造方法によれば、ミラーカバーを簡単にかつ低コストで製造できる。
【発明を実施するための最良の形態】
【００１１】
以下に、本発明に係わる自動車用ドアミラー及びこれに用いるミラーカバーの製造方法の発明の実施の形態を図面を参照しつつ説明する。
【実施例】
【００１２】
図１は本発明に係わる自動車用ドアミラーの断面図であり、図２は図１に示す自動車用ドアミラーを矢印A方向から目視した図、図３は図１に示す自動車用ドアミラーを矢印B方向から目視した図である。
【００１３】
その図１において、１はミラー本体、２はそのミラー本体を背面側から覆うミラーカバーである。ミラー本体１にはその開口側に図示を略すミラーが装着される。ミラーカバー２はミラー本体１に接着テープ部材３を介して固定される。
【００１４】
ミラーカバー２は湾曲形状の透明カバー本体２Aから構成され、図４、図５に示すように横方向に長く延びる開口４が形成されている。ミラーカバー２にはこの開口４に連接して図４、図６に示すように横方向に延びる条溝５が形成されている。
【００１５】
その開口４には図７に示すレンズアッセンブリ７が図１に示すテープ部材８を介して固定されていると共に、図７に示すテープ部材９を介してミラー本体１に固定されている。レンズアッセンブリ７には図示を略す発光体が設けられ、その発光体は図２、図３に示すコード１０を介して通電されることにより発光される。このレンズアッセンブリ７は例えばサイドターンシグナルランプとして用いられる。
【００１６】
透明カバー本体２Aの開口端部１２には、図８に拡大して示す収容溝１３が設けられている。この収容溝１３は透明カバー本体２Aの開口を取り巻くようにして形成されている。その開口端部１２には発光部品配設体１４が固定されている。
【００１７】
発光部品配設体１４は収容溝１３に沿う形状を呈しており、この発光部品配設体１４は断面コ字形状の嵌合部材１４aと、この嵌合部材１４a内に設けられた可撓性プリント配線基板１４ｂとから構成されている。
【００１８】
その可撓性プリント配線基板１４ｂは図９に示すようにその延びる方向に適宜間隔を開けて発光体としてのLED１４ｃが適宜個数設けられると共に、図１０に示す回路素子としての抵抗体R、ダイオードD１、ツェナーダイオードZ、コンデンサC1が設けられている。LED１４ｃ、各回路素子には図２、図３に示すコード１５を介して通電される。
【００１９】
可撓性プリント配線基板１４ｂは、図８に示すようにシリコン材料１６が塗布された後、開口端部１２に接着固定される。
【００２０】
透明カバー本体２Aには、図１１に拡大して示すように、その内面に導光塗料膜１７が形成されている。導光塗料膜１７の表面には反射膜１８が形成されている。反射膜１８の表面には保護膜（下地膜）１９が形成されている。
【００２１】
このミラーカバー２は、透明カバー本体２Aを成形により製造し、透明カバー本体２Aの内面に導光塗料を塗布して導光塗料膜１７を形成し、導光塗料膜１７の表面に銀塗装又はアルミニウム蒸着により反射膜１８を形成した後、ミラーカバー２の開口端部１２に発光部品配設体１４を装着することにより製造される。導光塗料膜１７の形成に用いる導光塗料には、例えば、ブルーパール塗料（株式会社  日東製作所製）を用いる。
【００２２】
本発明の実施の形態によれば、ミラーカバー２の開口端部１２に設けられた発光部品配設体１４のLED１４aから発せられた光Pはその一部が図１に示すように透明カバー本体２Aから外部に向けて直接漏れ出ると共に、導光塗料膜１７内を伝搬しつつかつ散乱されつつ適宜透明カバー本体２Aの湾曲に伴って透明カバー本体２Aの各部位から徐々に漏れ出ることになり、ミラーカバー２がまんべんなく全面発光される。
【００２３】
従って、イルミネーション効果を期待できる他、サイドターンランプとして機能させることもでき、安全性の向上により一層寄与する。
【００２４】
この発明の実施の形態によれば、導光塗料膜１７の表面に反射膜１８を形成したので、ミラーカバー２の発光効率を向上させることができる。
【図面の簡単な説明】
【００２５】
【図１】本発明に係わる自動車用ドアミラーの断面図である。
【図２】図１に示す自動車用ドアミラーを矢印A方向から目視した図である。
【図３】図１に示す自動車用ドアミラーを矢印B方向から目視した図である。
【図４】図１に示すミラーカバーの背面図である。
【図５】図４の矢印C−C線に沿う断面図である。
【図６】図４の矢印D−D線に沿う断面図である。
【図７】図１の矢印E−E線に沿う断面図である。
【図８】図１に示すミラーカバーの開口端部を部分的に拡大して示す図である。
【図９】図８に示す可撓性プリント配線基板の平面図である。
【図１０】図８に示す発光部品配設体の等価回路図である。
【図１１】本発明に係わる透明カバー体の部分拡大図である。
【符号の説明】
【００２６】
２…ミラーカバー
２A…透明カバー本体
１４…発光部品配設体
１７…導光塗料膜
【図１】
2008062807.tif 000003
【図２】
2008062807.tif 000004
【図３】
2008062807.tif 000005
【図４】
2008062807.tif 000006
【図５】
2008062807.tif 000007
【図６】
2008062807.tif 000008
【図７】
2008062807.tif 000009
【図８】
2008062807.tif 000010
【図９】
2008062807.tif 000011
【図１０】
2008062807.tif 000012
【図１１】
2008062807.tif 000013